(57)【要約】      （修正有）【課題】低コストで、水素の透過流出を抑えた水素還元水入り容器を提供する。【解決手段】還元水入り容器１Ｃは、還元水入りのペットボトル４が、水素を透過させないガスバリヤーシート５で形成されたガスバリヤー袋６で覆って密封保護される。【選択図】図４
0003158888.tif 000002
【実用新案登録請求の範囲】
【請求項１】
水素還元水（Ｈ４Ｏ）入りのペットボトル又はパウチ袋からなる容器が、水素（Ｈ２）を透過させないシートで形成されたガスバリヤー袋で覆われて密封されていることを特徴とする、ガスバリヤー袋で覆われた水素還元水入り容器。
【請求項２】
前記ガスバリヤー袋内には、前記ペットボトル又はパウチ袋からなる容器が複数本並べて入れられている、請求項１に記載のガスバリヤー袋で覆われた水素還元水入り容器。
【請求項３】
前記ガスバリヤー袋は、前記水素還元水入り容器の外壁に近接及び／または略密着する程度に、該袋内の空気が外部に排出された状態で密封されている、請求項１又は２に記載のガスバリヤー袋で覆われた水素還元水入り容器。
【請求項４】
前記ガスバリヤー袋は、外側層である合成樹脂フィルム層、中間層であるガスバリヤー機能を有する金属薄膜層、内側層である熱可塑性合成樹脂フィルム層が少なくとも積層された、柔軟性と耐久性に富む、ガスバリヤーシートで構成されている、請求項１乃至３のいずれかの項に記載のガスバリヤー袋で覆われた水素還元水入り容器。
【考案の詳細な説明】
【技術分野】
【０００１】  本考案は、水素還元水（Ｈ４Ｏ）が充填されたペットボトルやパウチ袋等の容器が、ガスバリヤー袋で覆われて、水素還元水（Ｈ４Ｏ）に含まれる水素（Ｈ２）の外部漏出が抑えられた、ガスバリヤー袋で覆われた還元水入り容器に関する。
【背景技術】
【０００２】  健康な人の生体組織や生体水は、自らの調整機能により酸性・アルカリ性の程度を示す固有のｐＨを維持し、血液は中性のｐＨ７よりも若干高い弱アルカリ性が保たれており、体の酸性度が自らの調整機能を越えて高くなると病気になり易く老化が進行する。
ところが、最近の食生活は体内を酸化に向かわせ、国内の多くの水道水は塩素含有による酸化度が高い。このため、上述した調整機能を人為的に補助して、体内の酸化を抑え、ｐＨを下げることが望まれる。【０００３】  この人為的な補助について、最近注目され普及しつつあるのが、水素還元水（Ｈ４Ｏ）の飲用による水素（Ｈ２）の摂取である。水素（Ｈ２）は、化合物中の酸素を奪う、即ち、酸化物を還元させるという「還元」作用があり、ｐＨをアルカリ傾向させる。化学的には、通常の水（Ｈ２Ｏ）に水素（Ｈ２）を加えると、水素（Ｈ２）を豊富に含む水素還元水（Ｈ４Ｏ）が生成される。
一方、水素（Ｈ２）は、分子の大きさが極めて小で、その形も球対称をなし、質量は全ての物質中最小で、水に溶けにくく、比重は最も軽く、運動速度は最も大きく（０℃で１．８４ｋｍ／秒）、容器の小孔から流出する速度は、全ての気体中で最も大きいという特質があるため、金属製容器以外の容器を用いた保存は容易でない。【０００４】  これら条件の下、飲用に適した水素還元水（Ｈ４Ｏ）の製造技術と、消費者に提供するパッケージに関し、従来から各種技術が開発され、実用化されている。
水素還元水（Ｈ４Ｏ）を工業的に製造する方法として、水（Ｈ２Ｏ）に水素ガス（Ｈ２）を強制的に混入させる方法、水を電気分解して製造する方法が周知である。
ところが、これらの方法で製造した水素還元水（Ｈ４Ｏ）をペットボトルに充填しても、経時により水素還元水（Ｈ４Ｏ）に含まれる水素（Ｈ２）がペットボトルの樹脂組織を透過して、水素還元水（Ｈ４Ｏ）が元の水（Ｈ２Ｏ）に戻る。
このため、水素（Ｈ２）が漏れ出ない、水素還元水（Ｈ４Ｏ）入りアルミ製ボトル、水素還元水（Ｈ４Ｏ）入りパウチ袋（軟質シートで出来た袋状容器）などが公知である（特許文献１，２）。【０００５】  また、金属マグネシウムが収容された網袋又は多孔質容器を飲料水中に投入して、飲料水を水素還元水（Ｈ４Ｏ）にする技術も公知である（特許文献３，特許文献４）。
この投入は消費者がペットボトル内の飲料水を飲む直前に行い、天然鉱物粒子投入後、１０分程度経過すると、金属マグネシウムと水との接触により水素（Ｈ２）が発生し始め、時間経過とともに水素（Ｈ２）を豊富に含む水素還元水（Ｈ４Ｏ）になる。
【先行技術文献】
【特許文献】
【０００６】
【特許文献１】特開２００８−２８００５７号公報
【特許文献２】特開２００９−２８０２５１号公報
【特許文献３】特開２００５−０１３９２５号公報
【特許文献４】特開２００７−１６７６９６号公報
【考案の概要】
【考案が解決しようとする課題】
【０００７】  しかしながら、特許文献１に記載のようにアルミ製ボトルを用いると、コスト高になる。また、水素還元水（Ｈ４Ｏ）に含まれる水素（Ｈ２）が容器内上部の空間内に移動して水素還元水（Ｈ４Ｏ）が普通の水（Ｈ２Ｏ）になるのを防止するガス注入工程が必要になり、これもコスト高を招く。【０００８】  特許文献２に記載の袋状容器（パウチ袋）は、軽量で携帯向きであるが、柔軟性の高いシートで出来た袋は、商品の搬送時や店頭販売時などにおいて、破損や鋭い折れが発生すると、ここから水素（Ｈ２）が漏れ出ることがあり、また、この種の袋でも微量ではあるが水素（Ｈ２）の漏れがある。この他にも、袋の衛星管理に問題が残る。【０００９】  特許文献３，４に記載の技術は、消費者が飲料水入りペットボトルを購入後、ボトルのキャップを取り外して、マグネシウム金属粒が入っている容器や袋をボトル内に投入するという手間を要する。しかも、ペットボトル内の水が水素還元水になるまでに時間を要するため、消費者が製品購入後、直ぐに水素還元水を飲むことが出来ない不具合がある。【００１０】  本考案は上述した不具合を解消するために提案されたものであり、その解決課題は、水素還元水（Ｈ４Ｏ）に含まれる水素（Ｈ２）が容器内から外部に透過流出して、水素還元水（Ｈ４Ｏ）が普通の水（Ｈ２Ｏ）にならないようにすることにある。
そして、これにより、消費者が製品購入後、ガスバリヤー袋を開封して、ペットボトルやパウチ袋等のキャップを取り外した後、直ぐに、水素（Ｈ２）を豊富に含む水素還元水（Ｈ４Ｏ）を飲んだり、化粧水として利用出来るようにすることにある。
また、容器をガスバリヤー袋で密封保護して、商品の品質と衛生管理を図ることにある。
また、水素還元水（Ｈ４Ｏ）入りの複数個の容器を、１つのガスバリヤー袋で覆って、ガスバリヤー袋のコスト高を抑え、複数個の商品のセット販売により、消費者に提供する価格を抑えることにある。
【課題を解決するための手段】
【００１１】  請求項１の考案に係るガスバリヤー袋で覆われた水素還元水入り容器は、水素還元水（Ｈ４Ｏ）入りのペットボトル又はパウチ袋からなる容器が、水素（Ｈ２）を透過させないシートで形成されたガスバリヤー袋で覆われて密封されているところに特徴がある。【００１２】  本考案は、水素還元水（Ｈ４Ｏ）入りのペットボトル又はパウチ袋からなる容器を、ガスバリヤー袋で覆って、還元水（Ｈ４Ｏ）に含まれる水素（Ｈ２）が外部に漏出させないようにするためにある。
ペットボトルは、小型の飲料水入りペットボトルと同様、５００ｍｌまでの容量のものが、調達コストが安価で、消費者にとって使い易い大きさである点において好適とされる。
パウチ袋は、柔軟性の高いシードで形成された袋に水の出入口が設けられ、この出入口がキャップで着脱自在に閉じられた、従来において公知の水素還元水（Ｈ４Ｏ）用容器である。【００１３】  本考案によれば、水素還元水（Ｈ４Ｏ）は、工場で製造されてペットボトルや前記パウチ袋内に充填されている。
水素還元水（Ｈ４Ｏ）は、天然水、逆浸透膜でろ過した飲料水を原料にすることが好ましく、この飲料水に水素ガス（Ｈ２）を圧送・添加する方法、この飲料水を電気分解する方法、この飲料水にマグネシウム金属粒を接触させる方法、などにより水素（Ｈ２）を多量に含む水素還元水（Ｈ４Ｏ）が製造される。
また、工場において、飲料水を充填したペットボトル内に、マグネシウム金属粒が入った網袋又は多孔質容器を投入して、これを取り出さないまま、ペットボトルの口をキャップで閉じた、マグネシウム金属粒が入った状態の、水素還元水入りペットボトルにしてもよい。
上記天然水や逆浸透膜でろ過した飲料水には、ミネラル成分、各種ビタミン類等、公知の栄養成分や健康補助成分等を含有するものも該当する。【００１４】  前記ガスバリヤー袋は、柔軟性と耐久性に富み、水素（Ｈ２）を透過させないガスバリヤーシートを素材としている。そして、前記容器がこのガスバリヤー袋で覆われて密封保護されている。ガスバリヤー袋の袋口等の密封はヒートシールにより行われる。
このようにして、水素還元水（Ｈ４Ｏ）入りの容器をガスバリヤー袋で密封保護すると、水素還元水（Ｈ４Ｏ）に含まれる水素（Ｈ２）が容器の樹脂組成を透過したり、キャップ口から漏れ出るようなことがあっても、水素（Ｈ２）はガスバリヤー袋内に留まる。ガスバリヤー袋と容器との間には出来るだけ空間が生じないようにすることが望まれる。
このようにすると、水素還元水（Ｈ４Ｏ）から水素（Ｈ２）が抜け出で普通の飲料水（Ｈ２Ｏ）になるという事態が大幅に抑えられる。
ペットボトルや前記パウチ袋等の容器の飲み口の衛生管理は、ガスバリヤー袋で密封保護することで一層高いものにされている。【００１５】  ペットボトルや前記パウチ袋等の容器は、外気温差などにより充填物が膨縮しても、素材が持つ弾力により形状回復可能に若干形状変化するため、前述したアルミボトルのような窒素ガス溜まりの空間をボトル内上部に設ける必要はない。【００１６】  請求項２に係る考案では、更に、前記ガスバリヤー袋内には、前記ペットボトル又はパウチ袋からなる容器が複数本並べて入れられている。
例えば、水素還元水（Ｈ４Ｏ）入りの２００ｍｌペットボトル、水素還元水（Ｈ４Ｏ）入りの２００ｍｌパウチ袋が、２〜４個、１つの前記ガスバリヤー袋内に入れられて密封保護された、ガスバリヤー袋で覆われた水素還元水入り容器が該当する。【００１７】  請求項３に係る考案では、上記いずれかの構成において、更に、前記ガスバリヤー袋は、前記水素還元水入り容器の外壁に近接及び／または略密着する程度に、該袋内の空気が外部に排出された状態で密封されている。
これにより、容器内の水素還元水（Ｈ４Ｏ）に含まれる水素（Ｈ２）が、容器の樹脂組成を透過したり、キャップ口辺りから漏れ出ることがあっても、ガスバリヤー袋で完全に押し留められ、水素（Ｈ２）の漏れは一層防止される。【００１８】  請求項４に係る考案では、上記いずれかの構成において、更に、前記ガスバリヤー袋は、外側層である合成樹脂フィルム層、中間層であるガスバリヤー機能を有する金属薄膜層、内側層である熱可塑性合成樹脂フィルム層が少なくとも積層された、柔軟性と耐久性に富む、ガスバリヤーシートで構成されている。【００１９】  水素（Ｈ２）を透過させないためには金属薄膜層が必要であり、この金属薄膜層の両面にフィルム層が積層されて、金属薄膜層の形状安定性・破損・脱落を防止させている。ガスバリヤーシートは、このような積層構造を持つシートであれば、４層以上の積層構造を持つシートを用いてもよい。
【考案の効果】
【００２０】  請求項１に係るガスバリヤー袋で覆われた水素還元水入り容器によれば、水素還元水（Ｈ４Ｏ）入りの容器を、水素（Ｈ２）を透過させないガスバリヤー袋で覆って密封した構成とした結果、水素還元水（Ｈ４Ｏ）に含まれる水素（Ｈ２）が容器内から漏れ出ることがあっても、ガスバリヤー袋内に閉じ込められるため、水素還元水（Ｈ４Ｏ）が水素（Ｈ２）が存在しない普通の水（Ｈ２Ｏ）になることが防止される。
一方、消費者側から見れば、ガスバリヤー袋を開封してペットボトルのキャップを取り外した時点で、水素（Ｈ２）を豊富に含む水素還元水（Ｈ４Ｏ）を飲むことが出来、また、化粧水として利用出来る利点がある。【００２１】  請求項２に係るガスバリヤー袋で覆われた水素還元水入り容器によれば、更に、前記ガスバリヤー袋内に、前記ペットボトル又はパウチ袋からなる容器が複数本並べて入れられているため、水素還元水（Ｈ４Ｏ）に含まれる水素（Ｈ２）の漏出を防止させるだけではなく、更に、袋価格を抑えたセット販売が可能になる。
とくに、柔軟性の高い前記パウチ袋による商品の場合、商品流通から消費者が購入して持ち帰るまで、パウチ袋の傷付きや汚れを防ぐ。【００２２】  請求項３に係るガスバリヤー袋で覆われた水素還元水入り容器によれば、前記ガスバリヤー袋は、前記水素還元水入り容器の外壁に近接及び／または略密着する程度に、該袋内の空気が外部に排出された状態で密封されているため、前記容器内の樹脂組成を透過してもすぐに前記ガスバリヤー袋によって漏れが押し留められる。この結果、水素（Ｈ２）の流失防止機能が格段に向上する。【００２３】  請求項４に係るガスバリヤー袋で覆われた水素還元水入り容器によれば、前記ガスバリヤー袋を、外側層の合成樹脂フィルム層、中間層のガスバリヤー機能を有する金属薄膜層、内側層の熱可塑性合成樹脂フィルム層を少なくとも積層させた、柔軟性と耐久性に富む、ガスバリヤーシートとした結果、水素（Ｈ２）を透過させないガスバリヤーが確実に行われ、前記金属薄膜の脱落や傷付きも防止する。
【図面の簡単な説明】
【００２４】
【図１】（ａ）は（本考案における）第１実施形態のガスバリヤー袋で覆われた還元水入り容器を示した斜視図、（ｂ）は同じく正面断面図、（ｃ）は側面断面図。
【図２】ガスバリヤー袋の形成材料であるガスバリヤーシートの積層構造の一例を示した拡大断面図。
【図３】（本考案における）第２実施形態のガスバリヤー袋で覆われた還元水入り容器を示した斜視図。
【図４】（ａ）は（本考案における）第３実施形態のガスバリヤー袋で覆われた還元水入り容器を示した斜視図、（ｂ）は同じく正面断面図。
【図５】（本考案における）第４実施形態のガスバリヤー袋で覆われた還元水入り容器を示した斜視図。
【図６】（本考案における）第５実施形態のガスバリヤー袋で覆われた還元水入り容器の袋詰め前の状態を示した斜視図。
【図７】（本考案における）第５実施形態のガスバリヤー袋で覆われた還元水入り容器を示した斜視図。
【図８】図７におけるＡ−Ａ線拡大断面図。
【図９】（本考案における）第６実施形態のガスバリヤー袋で覆われた還元水入り容器を示した斜視図。
【考案を実施するための形態】
【００２５】  本考案は、次の詳述なる実施例により一層明確に理解されるであろう。
【実施例】
【００２６】  図１（ａ）〜（ｃ）に示す本考案第１実施形態のガスバリヤー袋で覆われた水素還元水入り容器１Ａは、水素還元水（Ｈ４Ｏ）入りペットボトル２が、水素（Ｈ２）を透過させないガスバリヤー袋６の中に入れられて、密封されたもので構成されている。【００２７】  図に示すペットボトル２は、５００ｍｌの容量があるペットボトルが用いられている。
ガスバリヤー袋６は、水素（Ｈ２）を透過させず、柔軟性と耐久性に富み、内側層の縁部相互を重ね合わせてヒートシールが出来るガスバリヤーシート５で形成されている。
図に示すガスバリヤー袋６は、ガスバリヤーシート５を２面折りして、重ね合わせた３方の各両側縁部どうしを重ね合わせてヒートシールしたものが用いられている。６ａ，６ｂ，６ｃはいずれもヒートシールされた面を示している。１箇所の両側縁部６ｃを開放させた袋口にしたガスバリヤー袋６とし、このガスバリヤー袋６内に水素還元水（Ｈ４Ｏ）入りペットボトル２を入れ、その後、袋口をヒートシールしてもよい。【００２８】  このようにして水素還元水（Ｈ４Ｏ）入りのペットボトル３を、ガスバリヤー袋５内に密封保護すると、水素還元水（Ｈ４Ｏ）に含まれる水素（Ｈ２）が、ボトル２の樹脂組織を透過して外に漏れ出始めても、ガスバリヤー袋６内に閉じ込められて、袋６の外に漏れ出ることはない。このため、ボトル２内の水素（Ｈ２）の減少量は一定範囲に抑えられている。このため、ガスバリヤー袋５とペットボトル３との間の空間８は出来るだけ狭くすることが望まれる。【００２９】  以上の構成を有するガスバリヤー袋で覆われた水素還元水入り容器１Ａを消費者が購入して、ガスバリヤー袋６を開封し、ペットボトル２のキャップ３を取り外すと、直ぐに、水素（Ｈ２）を豊富に含む水素還元水（Ｈ４Ｏ）を飲んだり、化粧水等として使用することが出来る。【００３０】  ボトル２内の水素（Ｈ２）の減少量を予想して、この減少量に見合った水素（Ｈ２）を増量させた水素還元水（Ｈ４Ｏ）をボトル２内に充填してもよい。【００３１】  図２は最も単純な積層構造のガスバリヤーシート５を示し、このシート５は、外側層の合成樹脂フィルム層５１、中間層のガスバリヤー機能を有する金属薄膜層５２、内側層の熱可塑性合成樹脂フィルム層５３による積層構造を有する。
合成樹脂フィルム層５１は、例えばポリエチレンテレフタレートフィルム、金属薄膜層５２は、例えば水素（Ｈ２）を遮断する機能があるアルミ蒸着皮膜層、熱可塑性合成樹脂フィルム層５３は、例えばポリエチレンフィルムとされており、アルミ金属で形成された薄膜層がガスバリヤー機能に優れることは周知である。図示していないが、金属薄膜層５２と熱可塑性合成樹脂フィルム層５３との間にポリアミドフィルムによる層を設ける等、４層以上の積層構造としてもよい。酸素（Ｏ２）を遮断する透明積層シートが公知技術としてあるが、水素（Ｈ２）の透過防止について出願人は確証を得ていない。しかしながらこの透明積層シートに水素（Ｈ２）の透過防止機能があるならば、この透明積層シートで出来た透明ガスバリヤー袋を用いてもよい。【００３２】  図３に示す本考案第２実施形態のガスバリヤー袋で覆われた水素還元水入り容器１Ｂは、図１（ａ）〜（ｃ）に示すペットボトル２よりも小型の２００ｍｌのペットボトル２Ｓが用いられている。【００３３】  図４（ａ）及び（ｂ）に示す本考案第３実施形態のガスバリヤー袋で覆われた水素還元水入り容器１Ｃは、更に好ましい形態とされている。
このガスバリヤー袋で覆われた還元水入りペットボトル１Ｃは、ガスバリヤー袋６が、ペットボトル４の外壁に近接及び／または略密着する程度まで、袋内の空気が外部に排出されて、袋内の空間８を殆ど無くした状態になっている。
このように構成すると、水素（Ｈ２）がペットボトル２の樹脂組織を透過したり、キャップ口辺りから漏れ出ることがあっても、水素（Ｈ２）の行き場が無いため、水素還元水（Ｈ４Ｏ）に含まれる水素（Ｈ２）の減少は殆ど生じない。【００３４】  上述した各実施形態において、ガスバリヤー袋６には、水素還元水（Ｈ４Ｏ）入りのペットボトル２（２Ｓ）を、水素（Ｈ２）を透過させないガスバリヤーシートで包んでヒートシールするタイプのものも含まれる。【００３５】  図５に示す本考案第４実施形態のガスバリヤー袋で覆われた水素還元水入り容器１Ｄは、図４（ａ）（ｂ）に示すガスバリヤー袋で覆われた水素還元水入りペットボトル１Ｃの小型版であり、２００ｍｌペットボトル２Ｓが用いられている。【００３６】  図６は、２個の水素還元水（Ｈ４Ｏ）入りのパウチ袋２０，２０を、一端を開口させたガスバリヤー袋６内に入れる直前の状態を示しており、パウチ袋２０，２０をガスバリヤー袋６内に入れ、袋内の空気を排出させて袋口６ｅをヒートシールして、パウチ袋２０，２０をガスバリヤー袋６で密封保護すると、図７に示す本考案第５実施形態のガスバリヤー袋で覆われた還元水入り容器１Ｅになる。ここで使用されるガスバリヤー袋６は前述したガスバリヤー袋と同じものであり、６ａ，６ｂ，６ｃ，６ｄ，６ｆはヒートシールされた面を示している。パウチ袋２０にも水素（Ｈ２）を透過させない機能があるが、パウチ袋２０のシート厚が薄いために、確実に水素（Ｈ２）を遮断することができない。ガスバリヤー袋６は水素（Ｈ２）を確実に遮断する肉厚と柔軟性を備えている。
図８は、このガスバリヤー袋で覆われた還元水入りペットボトル１Ｅを側面断面図で示している。【００３７】  図９に示す本考案第６実施形態のガスバリヤー袋で覆われた水素還元水入り容器１Ｆは、３個の水素還元水（Ｈ４Ｏ）入りのパウチ袋２０，２０，２０が、１つのガスバリヤー袋６内に入れられて、密封保護されたものであり、ここで使用されるガスバリヤー袋６は前述したガスバリヤー袋と同じものである。【００３８】  以上説明した各実施形態のガスバリヤー袋で覆われた水素還元水入り容器１Ａ〜１Ｆによれば、ガスバリヤー袋６には指先で開封し易くする切れ目６ｇが設けられている。
【産業上の利用可能性】
【００３９】  本考案のガスバリヤー袋で覆われた水素還元水入りペットボトルは、消費者が製品購入後、直ぐに、水素（Ｈ２）を豊富に含む水素還元水（Ｈ４Ｏ）を飲んだり、化粧水として利用出来るという点において、従来のポータブルサイズの水素還元水（Ｈ４Ｏ）飲料製品に代わる可能性が大である。
【符号の説明】
【００４０】  １Ａ  第１実施形態のガスバリヤー袋で覆われた還元水入り容器
１Ｂ  第２実施形態のガスバリヤー袋で覆われた還元水入り容器
１Ｃ  第３実施形態のガスバリヤー袋で覆われた還元水入り容器
１Ｄ  第４実施形態のガスバリヤー袋で覆われた還元水入り容器
１Ｅ  第５実施形態のガスバリヤー袋で覆われた還元水入り容器
１Ｆ  第６実施形態のガスバリヤー袋で覆われた還元水入り容器
２    ペットボトル
３    キャップ
４    還元水（Ｈ４Ｏ）入りペットボトル
５    ガスバリヤーシート
５１    合成樹脂フィルム（ポリエチレンテレフタレートフィルム）層
５２    金属薄膜層（アルミ蒸着皮膜層）
５３    熱可塑性合成樹脂フィルム（ポリエチレンフィルム）層
６    ガスバリヤー袋
６ａ，６ｂ，６ｃ，６ｄ，６ｆ  ヒートシールされた面
６ｅ  袋口
８    空間
２０    パウチ袋
【図１】
0003158888.tif 000003
【図２】
0003158888.tif 000004
【図３】
0003158888.tif 000005
【図４】
0003158888.tif 000006
【図５】
0003158888.tif 000007
【図６】
0003158888.tif 000008
【図７】
0003158888.tif 000009
【図８】
0003158888.tif 000010
【図９】
0003158888.tif 000011